(57)【要約】【課題】多列に配置されたＩＣタグに情報を書込むためのアンテナを、ＩＣタグの大きさに応じて１対１の位置に位置決めできるアンテナアセンブリ及びそれを配置したアンテナプレートを提供する。【解決手段】アンテナアセンブリ３０は、プレート２１に取付ける、ＩＣタグＩ用のアンテナアセンブリ３０であって、アンテナ３１と、アンテナ３１を収容する内側下枠体３２と、内側下枠体３２内にアンテナ３１を覆うように配置されるアンテナカバー３３と、内側下枠体３２を内部に嵌合し保護する外側下枠体３４と、外側下枠体３４に適合する上枠体３５とを備え、前記プレート２１に千鳥状に配置される。【選択図】図７
2015141665.tif 000002
【特許請求の範囲】
【請求項１】
プレートに取付ける、ＩＣタグ用のアンテナアセンブリであって、
アンテナと、
前記アンテナを収容する内側下枠体と、
前記内側下枠体内に前記アンテナを覆うように配置されるアンテナカバーと、
前記内側下枠体を内部に嵌合し保護する外側下枠体と、
前記外側下枠体に適合する上枠体とを備え、前記プレートに千鳥状に配置された
ことを特徴とするアンテナアセンブリ。
【請求項２】
前記内側下枠体及び前記外側下枠体のそれぞれが前記アンテナプレートにネジによって固定するための互いに重なる有孔板を有し、
前記上枠体が前記アンテナプレートにネジによって固定するための有孔板を有する
ことを特徴とする請求項１に記載のアンテナアセンブリ。
【請求項３】
前記アンテナが長手方向の一端に端子を有し、前記アンテナカバーが前記端子を挿通させる開口を有する
ことを特徴とする請求項１又は２に記載のアンテナアセンブリ。
【請求項４】
多列に配置されるＩＣタグと１対１対応となるように請求項１ないし３のいずれか１項に記載の前記アンテナアセンブリを複数備え、前記各アンテナアセンブリ同士を近接して配置した
ことを特徴とするアンテナプレート。
【請求項５】
前記多列に配置されるＩＣタグを搬送する搬送装置に対して着脱自在に設けた
ことを特徴とする請求項４に記載のアンテナプレート。
【発明の詳細な説明】
【技術分野】
【０００１】
本発明は、ＩＣタグ用アンテナアセンブリ及びそれを配置したアンテナプレートに関する。
【背景技術】
【０００２】
非接触通信を行うアンテナ及びＩＣチップを内蔵したＩＣタグが、連続した剥離紙の表面に複数列及び複数行配列されて仮着けされ、この用紙を連続して供給しながらそれぞれのＩＣタグラベルに応じた所定の印刷情報を印刷するとともに、それぞれのＩＣチップに応じた所定の書き込み情報を書き込むＩＣタグラベル発行装置が知られている（例えば、特許文献１参照）。
【０００３】
従来、このようなＩＣタグラベル発行装置では、ＩＣタグの大きさの違いに応じてアンテナの位置を変更するためには、例えば、アンテナプレートの位置をスケールに合わせて移動させるなどしているが、正確な位置決めに時間を要するなどの問題があった。
【先行技術文献】
【特許文献】
【０００４】
【特許文献１】特開２００５−１９００８４号公報
【発明の概要】
【発明が解決しようとする課題】
【０００５】
本発明は、多列に配置されたＩＣタグに情報を書込むためのアンテナを、ＩＣタグの大きさに応じて１対１の位置に位置決めできるアンテナアセンブリ及びそれを配置したアンテナプレートを提供する。
また本発明は、電波を相互に干渉しないようにしたアンテナアセンブリ及びそれを配置したアンテナプレートを提供する。
また本発明は、ＩＣタグの大きさに応じて１対１の位置にアンテナアセンブリを置決めでき、コンパクト化することができるアンテナアセンブリ及びそれを配置したアンテナプレートを提供する。
【課題を解決するための手段】
【０００６】
本発明に係る第１の態様は、アンテナプレートに取付ける、ＩＣタグ用のアンテナアセンブリであって、アンテナと、アンテナを収容する内側下枠体と、内側下枠体内にアンテナを覆うように配置されるアンテナカバーと、内側下枠体を内部に嵌合し保護する外側下枠体と、外側下枠体に適合する上枠体とを備え、前記プレートに千鳥状に配置されたアンテナアセンブリを提供する。
（２）上記（１）に記載のアンテナアセンブリにおいて、内側下枠体及び外側下枠体のそれぞれがアンテナプレートにネジによって固定するための互いに重なる有孔板を有し、上枠体がアンテナプレートにネジによって固定するための有孔板を有していてもよい。
（３）上記（１）又は（２）に記載のアンテナアセンブリにおいて、アンテナが長手方向の一端に端子を有し、アンテナカバーが端子を挿通させる開口を有していてもよい。
（４）本発明に係る第２の態様は、多列に配置されるＩＣタグと１対１対応となるように上記（１）ないし（３）のいずれか１つに記載の前記アンテナアセンブリを複数備え、前記各アンテナアセンブリ同士を近接して配置したアンテナプレートを提供する。
（５）上記（４）に記載のアンテナアプレートにおいて、前記多列に配置されるＩＣタグを搬送する搬送装置に対して着脱自在に設けてもよい。
【発明の効果】
【０００７】
本発明によれば、多列に配置されたＩＣタグに情報を書込むためのアンテナを、ＩＣタグの大きさに応じて１対１の位置に位置決めできるアンテナアセンブリ及びそれを配置したアンテナプレートを提供できる。
【図面の簡単な説明】
【０００８】
【図１】本発明の実施形態に係るＩＣタグラベル発行装置の正面図である。
【図２】ＩＣタグラベル発行装置の部分断面図である。
【図３】ＩＣタグラベル発行装置の供給部の平面図である。
【図４】アンテナプレートの平面図である。
【図５】プレートに固定された状態のアンテナアセンブリの正面図である。
【図６】アンテナアセンブリの斜視図である。
【図７】アンテナアセンブリの分解斜視図である。
【図８】変形例に係るアンテナプレートの平面図である。
【発明を実施するための形態】
【０００９】
以下、本発明の実施形態に係るＩＣタグラベル発行装置１、アンテナプレート２０及びアンテナアセンブリ３０を添付図面に基づき詳細に説明する。
【００１０】
図１において、ＩＣタグラベル発行装置１は、用紙Ｐを供給する供給部１１と、供給部１１から搬送された用紙Ｐに印刷する印刷部１２と、印刷部１２で印刷された用紙Ｐを検査する検査部１３とを備える。供給部１１、印刷部１２及び検査部１３は、用紙Ｐの搬送方向Ｃに順次並んで配置されている。図中には、搬送方向Ｃを実線矢印で示した。
【００１１】
供給部（搬送装置）１１は、連続紙である用紙Ｐを印刷部１２に供給するように用紙Ｐを搬送する。ここで、用紙Ｐは折りたたまれた紙であってもよいし、ロール状に巻かれた連続紙であってもよい。
【００１２】
印刷部１２は、用紙Ｐに対し、白黒印刷又はカラー印刷を行う。印刷方式は、インクジェット方式、乾式電子写真方式、熱転写方式等を用いることができる。
【００１３】
検査部１３は、用紙Ｐに印刷された文字、画像等が用紙Ｐに対してずれているか、用紙Ｐの皺、捩れ等が発生しているか等を検査する。検査は、印刷された文字、画像等を撮影し、画像処理によって行うことができる。検査の方法は、他の方法であってもよい。検査で異常が発見された場合は、ＩＣタグラベル発行装置１を停止し、供給部１１、印刷部１２の保守点検作業を行う。
【００１４】
図２及び図３において、用紙Ｐは、アンテナ及びＩＣチップを内蔵したＩＣタグＩを備えている。ＩＣタグＩは、例えば、連続した剥離紙の表面に１０列仮着けされている。ＩＣタグＩは１０列に限らず何列であってもよい。
【００１５】
ＩＣタグＩが仮着けされた用紙Ｐは、モータＭによって駆動される駆動ローラＲ１と従動ローラＲ２に張架されたベルトＢによって搬送方向Ｃに搬送される。また、用紙Ｐの両端は、供給部１１に用紙Ｐが入る入り口の搬送方向Ｃに対して両側に配置されたガイド部材Ｇによって位置決めがされている。用紙Ｐの幅やＩＣタグＩの数、配列等は、ＩＣタグラベルの用途によって異なる。
【００１６】
アンテナプレート２０は、ガイド部材Ｇの搬送方向Ｃ側に配置されている。ここで、アンテナプレート２０は、平面視において搬送方向Ｃと直交する方向に長い矩形状を有している。
【００１７】
図４において、アンテナプレート２０は、プレート２１とアンテナアセンブリ３０とを備えている。アンテナプレート２０は、図３に示した１０列に配置されるＩＣタグＩと１対１対応となるようにアンテナアセンブリ３０を１０個有する。ここで、アンテナアセンブリ３０は、プレート２１に千鳥状に配置されている。アンテナアセンブリ３０は、対応するＩＣタグＩに、非接触通信によって所定の書きこみ情報を書き込む。
【００１８】
図４及び図５において、アンテナアセンブリ３０は、平面視において略矩形状を有している。ここで、アンテナアセンブリ３０は、長手方向を搬送方向Ｃに合わせて配置されている。プレート２１には、アンテナアセンブリ３０の平面形状に合わせて孔２２が形成されている。アンテナアセンブリ３０は、その一部が孔２２に挿入され、ネジ４０ａ、ネジ４０ｂ及びネジ４０ｃによって位置決め固定されている。ネジ４０ａ、ネジ４０ｂは、アンテナアセンブリ３０の長辺の一端側を固定し、ネジ４０ｃは、対向する長辺の対角側の一端を固定している。
【００１９】
図６及び図７において、アンテナアセンブリ３０は、アンテナプレート２０に取付ける、ＩＣタグＩ用のアンテナアセンブリ３０であって、アンテナ３１と、アンテナ３１を収容する内側下枠体３２と、内側下枠体３２内にアンテナ３１を覆うように配置されるアンテナカバー３３と、内側下枠体３２を内部に嵌合し保護する外側下枠体３４と、外側下枠体３４に適合する上枠体３５とを備え、内側下枠体３２、アンテナカバー３３、外側下枠体３４及び上枠体３５が、平面視において、角切欠きの隅３６ａ、隅３６ｂ、隅３６ｃ及び隅３６ｄを有し、隅３６ａが他の３つの隅３６ｂ、隅３６ｃ及び隅３６ｄよりも大きな切欠き３７を有する。
【００２０】
尚、外側下枠体３４と上枠体３５を一体で形成することができる。また、外側下枠体３４、上枠体３５およびプレート２１を一体で形成することができる。一体で形成した場合、内側下枠体３２を必ずしも必要ではない。また、一体で形成した場合、外側下枠体３４と上枠体３５の各隅３６ａ、３６ｂ、３６ｃ、３６ｄを円弧状に形成することができる。
【００２１】
アンテナ３１は、ＩＣチップを内蔵したＩＣタグＩに内蔵されたアンテナと非接触通信を行う。アンテナ３１は、例えば、絶縁基板に導電性物質をパターン形成することによって得られる。パターン形成は、エッチングや印刷によって行うことができる。
【００２２】
角切欠きの隅３６ａ、隅３６ｂ、隅３６ｃ及び隅３６ｄの角切欠きのうち、大きな切欠き３７は、プレート２１に対してアンテナアセンブリ３０に位置が決められれば、他の隅にあってもよい。また、１か所に限らず２箇所または３箇所にあってもよい。
外側下枠体３４及び上枠体３５の隅３６ａ、隅３６ｂ、隅３６ｃ及び隅３６ｄの角切欠きを形成することで、外側下枠体３４及び上枠体を近接して配置することができるので、各アンテナアセンブリ３０を近接して配置することができる。
【００２３】
各アンテナアセンブリ３０を近接して配置することで、アンテナプレート２０を小型化することができ供給部１１の装置を小型化することができる。
また、プレート２１の四隅には、図示しないが孔を形成することができ、この四隅に形成した孔にスクリュー（図示せず）を介して供給部（搬送装置）取り付けることができる。
【００２４】
内側下枠体３２、アンテナカバー３３、外側下枠体３４及び上枠体３５の平面視における形状は、対応するＩＣタグＩに内蔵されたアンテナの形状に合わせて決めることができ、実施形態の形状に特に限定されない。
【００２５】
外側下枠体３４及び上枠体３５を設けたことにより、近接したアンテナアセンブリに干渉しないように電波の漏れを極めて防ぐことができる。
尚、外側下枠体３４及び上枠体３５は、鉄、ステンレス鋼が好ましい。内側下枠体３２は、樹脂等で成形されていてもよい。
【００２６】
内側下枠体３２及び外側下枠体３４のそれぞれが、アンテナプレート２０にネジ４０ａ及びネジ４０ｃによって固定するための互いに重なる有孔板３２０及び有孔板３４０並びに有孔板３２１及び有孔板３４１を有し、上枠体３５が、アンテナプレート２０にネジ４０ｂによって固定するための有孔板３５０を有している。
【００２７】
内側下枠体３２は、長辺の一端側に有孔板３２０を、対向する長辺の対角側の一端側に有孔板３２１を有している。外側下枠体３４は、長辺の一端側に有孔板３２０に重なる有孔板３４０を、対向する長辺の対角側の一端側に有孔板３２１に重なる有孔板３４１を有している。また、上枠体３５は、互いに重なる有孔板３２０及び有孔板３４０が設けられた長辺の中心付近に有孔板３５０を有している。
【００２８】
有孔板３２０、有孔板３２１は、内側下枠体３２と一体に形成されていてもよいし、別体として取り付けられていてもよい。また、有孔板３４０、有孔板３４１及び有孔板３５０も同様に、外側下枠体３４及び上枠体３５と一体に形成されていてもよいし、別体として取り付けられていてもよい。外側下枠体３４及び上枠体３５が金属で形成されていれば、一体で形成したのちに、折り曲げて形成できる。
【００２９】
図７において、アンテナ３１は、長手方向の一端に端子３１０を有し、アンテナカバー３３が端子３１０を挿通させる開口３３０を有している。端子３１０は、ＩＣタグラベル発行装置１の図示しない制御手段と接続され、所定の書きこみ情報に応じた信号を受ける。
【００３０】
実施形態によれば、多列に配置されたＩＣタグＩに情報を書込むためのアンテナ３１を、ＩＣタグＩの大きさまたは位置に応じて１対１の位置に位置決めできるアンテナプレート２０に交換（着脱自在）することで、調整が不要なアンテナアセンブリ３０及びそれを配置したアンテナプレート２０を提供できる。
【００３１】
また、実施形態によれば、用紙Ｐの表面のＩＣタグＩの配列に対応したアンテナプレート２０を予め複数用意してＩＣタグＩの大きさや配列状況に応じてアンテナプレート２０ごと取り替えることにより、ＩＣタグＩとアンテナアセンブリ３０とが１対１となるようにアンテナプレート２０をその都度スケール等を用いて位置合わせする場合と比較して作業性が向上する。
【００３２】
また、個別に位置合わせする場合と比較して、より正確に位置決めができ、通信性能を確保できる。さらに、アンテナアセンブリ３０を千鳥状に配置することにより、ＩＣタグＩが幅方向に密に配置された用紙Ｐに対しても、ＩＣタグＩに対し１対１でアンテナアセンブリ３０を配置できる。
【００３３】
以下に実施形態の変形例を示す。変形例では、アンテナアセンブリ３０の配置が異なる。実施形態と同じ部材、部位には同じ符号を付した。
【００３４】
図８において、変形例では、千鳥状に配置されたアンテナアセンブリ３０のアンテナプレート２０の長手方向における間隔が狭い。したがって、ＩＣタグＩが幅方向により密に配置された用紙Ｐに対しても、ＩＣタグＩに対し１対１でアンテナアセンブリ３０を配置できる。
【００３５】
実施形態、変形例では、ＩＣタグＩへの書き込み用のアンテナについて述べたが、読み取り用のアンテナにも適用できる。また、実施形態では、印刷も可能なＩＣタグラベル発行装置１について述べたが、印刷を行わないＩＣタグラベル発行装置についても適用できる。
【符号の説明】
【００３６】
１  ＩＣタグラベル発行装置
１１  供給部（搬送装置）
１２  印刷部
１３  検査部
２０  アンテナプレート
２１  プレート
２２  孔
３０  アンテナアセンブリ
３１  アンテナ
３２  内側下枠体
３３  アンテナカバー
３４  外側下枠体
３５  上枠体
３６ａ、３６ｂ、３６ｃ、３６ｄ  隅
３７  大きな切欠き
４０ａ、４０ｂ、４０ｃ  ネジ
３１０  端子
３２０、３４０、３２１、３４１、３５０  有孔板
３３０  開口
Ｂ  ベルト
Ｇ  ガイド部材
Ｃ  搬送方向
Ｍ  モータ
Ｐ  用紙
Ｒ１  駆動ローラ
Ｒ２  従動ローラ
【図１】
2015141665.tif 000003
【図２】
2015141665.tif 000004
【図３】
2015141665.tif 000005
【図４】
2015141665.tif 000006
【図５】
2015141665.tif 000007
【図６】
2015141665.tif 000008
【図７】
2015141665.tif 000009
【図８】
2015141665.tif 000010